(57)【特許請求の範囲】
【請求項１】
チャネル状態測定用の参照信号を受信可能な移動端末装置と、前記移動端末装置に対して前記参照信号を送信する基地局装置とを備えた無線通信システムであって、
前記基地局装置は、
複数のリソースブロックにおいてそれぞれ前記参照信号送信用に規定された参照信号用のリソースエレメントに前記参照信号を割り当てる参照信号割当部と、
各リソースブロック内の参照信号用のリソースエレメントにおける一部のリソースエレメントを、リソースブロック単位又は複数の前記リソースブロックからなるリソースブロックグループ単位で各リソースブロック内の周波数方向に変化させて、ミューティングされるリソースエレメントを決定するミューティング決定部と、
前記リソースブロック毎又は前記リソースブロックグループ毎にミューティングされるリソースエレメントを、前記移動端末装置に通知する通知部とを備え、
前記移動端末装置は、
前記ミューティングされるリソースエレメントで干渉測定する干渉測定部を備えたことを特徴とする無線通信システム。
【請求項２】
前記基地局装置のミューティング決定部は、前記参照信号用のリソースエレメントにおける一部のリソースエレメントを、他の送信ポイントとの間で変化させて、ミューティングされるリソースエレメントとして設定することを特徴とする請求項１に記載の無線通信システム。
【請求項３】
前記基地局装置の通知部は、前記ミューティングされるリソースエレメントを、前記参照信号用のリソースエレメントとミューティングの有無とを対応付けたビットマップ形式で通知することを特徴とする請求項１に記載の無線通信システム。
【請求項４】
前記基地局装置の前記通知部は、前記ミューティングの基本パターンと、前記基本パターンを前記リソースブロック単位又は前記リソースブロックグループ単位でランダム化させるためのランダム化情報とを通知し、
前記移動端末装置の前記干渉測定部は、前記基本パターンと前記ランダム化情報とに基づいて、前記ミューティングされるリソースエレメントを特定して干渉測定することを特徴とする請求項１に記載の無線通信システム。
【請求項５】
前記基地局装置の前記通知部は、複数のミューティングパターンと、前記複数のミューティングパターンの中から前記リソースブロック単位又は前記リソースブロックグループ単位で前記移動端末装置に前記ミューティングパターンを選択させるための選択情報とを通知し、
前記移動端末装置の前記干渉測定部は、前記選択情報に基づいて、前記複数のミューティングパターンの中からミューティングパターンを選択し、前記ミューティングされるリソースエレメントを特定して干渉測定することを特徴とする請求項１に記載の無線通信システム。
【請求項６】
前記基地局装置の通知部は、ハイヤレイヤシグナリングにより前記ミューティングされるリソースエレメントを通知することを特徴とする請求項１に記載の無線通信システム。
【請求項７】
移動端末装置に対してチャネル状態測定用の参照信号を送信する基地局装置であって、
複数のリソースブロックにおいてそれぞれ前記参照信号送信用に規定された参照信号用のリソースエレメントに前記参照信号を割り当てる参照信号割当部と、
各リソースブロック内の参照信号用のリソースエレメントにおける一部のリソースエレメントを、リソースブロック単位又は複数の前記リソースブロックからなるリソースブロックグループ単位で各リソースブロック内の周波数方向に変化させて、ミューティングされるリソースエレメントを決定するミューティング決定部と、
前記移動端末装置に前記ミューティングされるリソースエレメントで干渉測定させるように、前記リソースブロック毎又は前記リソースブロックグループ毎にミューティングされるリソースエレメントを前記移動端末装置に通知する通知部とを備えたことを特徴とする基地局装置。
【請求項８】
基地局装置からチャネル状態測定用の参照信号を受信する移動端末装置であって、
複数のリソースブロックにおいてそれぞれ前記参照信号送信用に規定された参照信号用のリソースエレメントに前記参照信号を割り当て、各リソースブロック内の参照信号用のリソースエレメントにおける一部のリソースエレメントを、リソースブロック単位又は複数の前記リソースブロックからなるリソースブロックグループ単位で各リソースブロック内の周波数方向に変化させて、ミューティングされるリソースエレメントを決定する基地局装置から、前記リソースブロック毎又は前記リソースブロックグループ毎にミューティングされるリソースエレメントを受信する受信部と、
前記ミューティングされるリソースエレメントで干渉測定する干渉測定部とを備えたことを特徴とする移動端末装置。
【請求項９】
チャネル状態測定用の参照信号を受信可能な移動端末装置と、前記移動端末装置に対して前記参照信号を送信する基地局装置とを備えた無線通信システムにおける干渉測定方法であって、
前記基地局装置は、
複数のリソースブロックにおいてそれぞれ前記参照信号送信用に規定された参照信号用のリソースエレメントに前記参照信号を割り当てるステップと、
各リソースブロック内の参照信号用のリソースエレメントにおける一部のリソースエレメントを、リソースブロック単位又は複数の前記リソースブロックからなるリソースブロックグループ単位で各リソースブロック内の周波数方向に変化させて、ミューティングされるリソースエレメントを決定するステップと、
前記リソースブロック毎又は前記リソースブロックグループ毎にミューティングされるリソースを、前記移動端末装置に通知するステップとを有し、
前記移動端末装置は、
前記基地局装置から前記ミューティングされるリソースエレメントを受けるステップと、
前記ミューティングされるリソースエレメントで干渉測定するステップを有することを特徴とする干渉測定方法。
【請求項１０】
チャネル状態測定用の参照信号を受信可能な移動端末装置と、前記移動端末装置に対して前記参照信号を送信する基地局装置とを備えた無線通信システムであって、
前記基地局装置は、
複数のリソースブロックにおいてそれぞれ前記参照信号送信用に規定された参照信号用のリソースエレメントに前記参照信号を割り当てる参照信号割当部と、
各リソースブロック内の参照信号用のリソースエレメントにおける一部のリソースエレメントを、リソースブロック単位又は複数の前記リソースブロックからなるリソースブロックグループ単位で各リソースブロック内の周波数方向に変化させると共に、他の送信ポイントとの間で変化させて、ミューティングされるリソースエレメントを決定するミューティング決定部と、
前記送信ポイント毎にミューティングされるリソースエレメントを、前記移動端末装置に通知する通知部とを備え、
前記移動端末装置は、
前記ミューティングされるリソースエレメントで干渉測定する干渉測定部を備えたことを特徴とする無線通信システム。
【発明の詳細な説明】
【技術分野】
【０００１】
本発明は、次世代移動通信システムにおける無線通信システム、基地局装置、移動端末装置、及び干渉測定方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（LTE：Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥシステムの後継のシステムも検討されている（例えば、ＬＴＥアドバンスト又はＬＴＥエンハンスメントと呼ぶこともある（以下、「ＬＴＥ−Ａ」という）。
【０００４】
ＬＴＥシステム（例えば、Rel.8）の下りリンクにおいて、ＣＲＳ（Cell-specific  Reference  Signal）が定められている。このＣＲＳは、ユーザデータの復調に用いられる他、スケジューリングや適応制御のための下りリンクのチャネル品質（CQI：Channel  Quality  Indicator）測定等に用いられる。一方、ＬＴＥの後継システム（例えば、Rel.10）においては、ＣＳＩ（Channel  State  Information）を求める参照信号としてＣＳＩ−ＲＳ（Channel  State  Information  −  Reference  Signal）が規定されている。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
ところで、移動端末装置側でＣＱＩを測定する場合には、干渉測定の精度が重要になっている。このようなシステムでは、ＣＲＳを用いて干渉測定されるが、ＣＲＳに依存しない無線インターフェースが将来に向けて検討されているため、将来的にこの干渉測定方法が適用される可能性は低い。一方で、ＣＳＩ−ＲＳを用いて干渉測定する場合には、ＣＳＩ−ＲＳの密度が低いため、高精度に干渉測定することが難しい。この場合、ＣＳＩ−ＲＳの密度を増やして干渉測定方法が考えられるが、後方互換性（Backward  Compatibility）を満たすことが困難となっている。
【０００７】
本発明はかかる点に鑑みてなされたものであり、ＣＲＳに依存しない将来のシステムにおいてＣＳＩ−ＲＳの密度を変えることなく、高精度に干渉測定できる無線通信システム、基地局装置、移動端末装置、及び干渉測定方法を提供することを目的とする。
【課題を解決するための手段】
【０００８】
本発明の無線通信システムは、チャネル状態測定用の参照信号を受信可能な移動端末装置と、前記移動端末装置に対して前記参照信号を送信する基地局装置とを備えた無線通信システムであって、前記基地局装置は、複数のリソースブロックにおいてそれぞれ前記参照信号送信用に規定された参照信号用のリソースエレメントに前記参照信号を割り当てる参照信号割当部と、各リソースブロック内の参照信号用のリソースエレメントにおける一部のリソースエレメントを、リソースブロック単位又は複数の前記リソースブロックからなるリソースブロックグループ単位で各リソースブロック内の周波数方向に変化させて、ミューティングされるリソースエレメントを決定するミューティング決定部と、前記リソースブロック毎又は前記リソースブロックグループ毎にミューティングされるリソースエレメントを、前記移動端末装置に通知する通知部とを備え、前記移動端末装置は、前記ミューティングされるリソースエレメントで干渉測定する干渉測定部を備えたことを特徴とする。
【発明の効果】
【０００９】
本発明によれば、ミューティングされるリソースで干渉測定されるため、参照信号等のデータが割り当てられるリソースで干渉測定する場合と比較して、他の送信ポイントからの干渉を高精度に測定できる。また、ミューティングされるリソースが、個々の送信ポイントにおいてリソースブロック単位又はリソースブロックグループ単位で変化されるため、複数の送信ポイント間でミューティングされるリソースが重なる可能性が低減される。このため、大部分のリソースブロックのミューティングされたリソースで他の送信ポイントからの干渉を測定でき、干渉精度を向上させることができる。
【図面の簡単な説明】
【００１０】
【図１】リソースブロックにおけるＣＳＩ−ＲＳの割り当てパターンの説明図である。
【図２】ＣＳＩ−ＲＳを用いたＣＱＩ測定におけるミューティングの説明図である。
【図３】干渉測定方法の一例を示す図である。
【図４】ミューティングの設定方法の一例を示す図である。
【図５】ミューティングの設定方法の他の一例を示す図である。
【図６】ミューティングの設定方法の他の一例を示す図である。
【図７】ミューティングの第１の通知方法の一例を示す図である。
【図８】ミューティングの第２の通知方法の一例を示す図である。
【図９】無線通信システムのシステム構成の説明図である。
【図１０】基地局装置の全体構成の説明図である。
【図１１】移動端末装置の全体構成の説明図である。
【図１２】ミューティングパターンの決定処理に対応した基地局装置の機能ブロック図である。
【図１３】ミューティングパターンの決定処理に対応した他の基地局装置の機能ブロック図である。
【図１４】干渉測定処理に対応した移動端末装置の機能ブロック図である。
【発明を実施するための形態】
【００１１】
まず、図１を参照して、ＬＴＥの後継システム（例えば、Rel.10）で適用される参照信号の１つであるＣＳＩ−ＲＳについて説明する。ＣＳＩ−ＲＳは、チャネル状態としてのＣＱＩ（Channel  Quality  Indicator）、ＰＭＩ（Precoding  Matrix  Indicator）、ＲＩ（Rank  Indicator）等のＣＳＩ測定に用いられる参照信号である。ＣＳＩ−ＲＳは、全てのサブフレームに割り当てられるＣＲＳ（Cell-specific  Reference  Signal）と異なり、所定の周期、例えば１０サブフレーム周期で割り当てられる。また、ＣＳＩ−ＲＳは、位置、系列および送信電力というパラメータで特定される。ＣＳＩ−ＲＳの位置には、サブフレームオフセット、周期、サブキャリア−シンボルオフセット（インデックス）が含まれる。
【００１２】
なお、ＣＳＩ−ＲＳとしては、Ｎｏｎ  Ｚｅｒｏ  Ｐｏｗｅｒ  ＣＳＩ−ＲＳとＺｅｒｏ  Ｐｏｗｅｒ  ＣＳＩ−ＲＳとが定義されている。Ｎｏｎ  Ｚｅｒｏ  Ｐｏｗｅｒ  ＣＳＩ−ＲＳは、ＣＳＩ−ＲＳが割り当てられるリソースに対応し、Ｚｅｒｏ  Ｐｏｗｅｒ  ＣＳＩ−ＲＳは、ミュートされたリソース(Resource element (RE))に対応する。
【００１３】
ＣＳＩ−ＲＳは、ＬＴＥで規定される１リソースブロックにおいて、ＰＤＣＣＨ（Physical  Downlink  Control  Channel）等の制御信号、ＰＤＳＣＨ（Physical  Downlink  Shared  Channel）等のユーザデータ、ＣＲＳやＤＭ−ＲＳ（Demodulation  −  Reference  Signal）等の他の参照信号と重ならないように割り当てられる。１リソースブロックは、周波数方向に連続する１２サブキャリアと、時間軸方向に連続する１４シンボルとで構成される。ＰＡＰＲを抑制する観点から、ＣＳＩ−ＲＳを送信可能なリソースは、時間軸方向に隣接する２つのリソースエレメントがセットで割り当てられる。
【００１４】
図１に示されるＣＳＩ−ＲＳ構成では、ＣＳＩ−ＲＳ用リソース（参照信号用リソース）として４０リソースエレメントが確保されている。この４０リソースエレメントには、ＣＳＩ−ＲＳポート数（アンテナ数等）に応じてＣＳＩ−ＲＳパターン（CSI  Configuration）が設定される。各ＣＳＩ−ＲＳパターンでは、１つのＣＳＩ−ＲＳポートにつき、１つのリソースエレメントがＣＳＩ−ＲＳ用に割り当てられる。
【００１５】
ＣＳＩ−ＲＳポート数が２の場合、４０リソースエレメントの中の２つのリソースエレメントにＣＳＩ−ＲＳが割り当てられる。よって、図１Ａでは、インデックス＃０−＃１９（CSI  Configuration＝0-19）で示される２０パターンのＣＳＩ−ＲＳパターンが設定される。ここでは、説明の便宜上、１パターンを構成するリソースエレメントに同一のインデックスを付している。
【００１６】
ＣＳＩ−ＲＳポート数が４の場合、４０リソースエレメントの中の４つのリソースエレメントにＣＳＩ−ＲＳが割り当てられる。よって、図１Ｂでは、インデックス＃０−＃９（CSI  Configuration＝0-9）で示される１０パターンのＣＳＩ−ＲＳパターンが設定される。なお、ＣＳＩ−ＲＳパターンにおいて、ＣＳＩ−ＲＳが割り当てられなかったリソースエレメントには、ユーザデータ等が割り当てられる。
【００１７】
そして、ＣＳＩ−ＲＳは、セル毎に異なるＣＳＩ−ＲＳパターンが選択されることで、セル間での干渉が抑えられている。また、ＣＳＩ−ＲＳパターンは、図１Ａ、Ｂに示すＦＤＤのノーマルパターンの他、図１Ｃに示すようにＦＤＤのオプションとしてＴＤＤのアディショナルパターンを加えてもよい。また、ＦＤＤのノーマルパターンを拡張した不図示のエクステンデッドパターンでもよい。また、ＣＳＩ−ＲＳポート数８のＣＳＩ−ＲＳパターンを有してもよい。以下の説明では、説明の便宜上、ＦＤＤのノーマルパターンを例示して説明する。
【００１８】
このＣＳＩ−ＲＳを用いたＣＳＩ測定においては、隣接セルからのデータ干渉により測定精度が劣化する場合がある。例えば、図２Ａに示すように、セルＣ１の下りリンクのリソースブロックに、隣接セルＣ２のＣＳＩ−ＲＳに対応してユーザデータが割り当てられている。また、セルＣ２の下りリンクのリソースブロックに、隣接セルＣ１のＣＳＩ−ＲＳに対応してユーザデータが割り当てられている。これらユーザデータは、各セルにおけるＣＳＩ−ＲＳの干渉成分を構成し、セルＣ１及びセルＣ２の境界に位置する移動端末装置におけるＣＳＩの測定精度を劣化させる要因となる。
【００１９】
ユーザデータの割り当て位置に起因するＣＳＩの測定精度の劣化を改善するため、ミューティングがRel. 10に規定されている。ミューティングにおいては、図２Ｂに示すように、隣接セルのＣＳＩ−ＲＳに対応するリソースにユーザデータが割り当てられない。セルＣ１の下りリンクのリソースブロックは、セルＣ２のＣＳＩ−ＲＳに対応してミューティングされる。また、セルＣ２の下りリンクのリソースブロックは、セルＣ１のＣＳＩ−ＲＳに対応してミューティングされる。この構成により、隣接セルのユーザデータに起因するＣＳＩ−ＲＳの干渉成分を排除して、移動端末装置におけるＣＳＩの測定精度が改善される。
【００２０】
なお、ミューティングされるリソースは、送信電力を０にしたリソースとして規定されてもよいし、隣接セル（送信ポイント）のＣＳＩ−ＲＳに対して干渉を与えない程度の送信電力で送信されるリソースとして規定されてもよい。さらに、ミューティングされたリソースは、全くデータが割り当てられないリソースとして規定されてもよいし、隣接セル（送信ポイント）のＣＳＩ−ＲＳに干渉を与えない程度にデータが割り当てられるリソースとして規定されてもよい。
【００２１】
ところで、ＣＳＩ−ＲＳによってＣＱＩを算出する場合には、干渉測定の精度が重要になっている。ＬＴＥの後継システムでは、ＣＲＳに依存しない干渉測定方法として、ＣＳＩ−ＲＳを用いた干渉測定も検討されている。しかしながら、ＣＳＩ−ＲＳは１リソースブロックにおける密度が低く、干渉測定だけでなくチャネル推定にも用いられるため、他の送信ポイント（ＴＰ）からの干渉を高精度に測定できない。また、ＣＳＩ−ＲＳの密度を高める方法も考えられるが、後方互換性を得ることが困難である。なお、送信ポイントとは、例えば、他セルと異なるセルＩＤが割り当てられるセルだけでなく、他セルと同一のセルＩＤが割り当てられるセルを含むものである。
【００２２】
これらの問題を解決するために、図３Ａに示すように、ミューティングされたリソースで干渉測定する方法が考えられる。この場合、全てのリソースブロックにおいて一律に同じリソースがミューティングされている。ミューティングされたリソースでは、各種データが送信されず、チャネル推定も行われないため、他の送信ポイントからの干渉が高精度に測定される。また、１リソースブロックにおけるＣＳＩ−ＲＳの密度を高める必要もないので、後方互換性を得ることが可能である。
【００２３】
しかしながら、複数の送信ポイント間でミューティングされるリソースの直交化が補償されておらず、図３Ｂに示すように複数の送信ポイント間でミューティングされたリソースが重なる可能性がある。このため、実際には複数の送信ポイント間で干渉が発生するにも関わらず干渉が無くなってしまうことから、干渉の測定精度が劣化してしまっていた。
【００２４】
そこで、本発明者らは、これらの問題を解決するために、本発明に至った。すなわち、本発明の骨子は、基地局装置においてミューティングの設定位置をランダム化することによって、複数の送信ポイント間でミューティングされたリソースが重なる可能性を低減することである。こうすることで、移動端末装置側では、ミューティングされたリソースで他の送信ポイントからの干渉を測定でき、干渉精度を向上させることができる。
【００２５】
ここで、図４を参照して、本実施の形態におけるミューティングの設定方法について説明する。図４は、ミューティングの設定方法の一例を示す図である。なお、図４では、説明の便宜上、４送信ポートでＣＳＩ−ＲＳを送信する例を示しているが、この構成に限定されない。本発明は、２送信ポートや８送信ポートでＣＳＩ−ＲＳを送信する構成にも適用可能である。なお、図４の「０−３」は、ＣＳＩ−ＲＳポート番号を示す。
【００２６】
図４に示すように、各送信ポイント（ＴＰ）＃１−＃３のそれぞれで、ミューティングの設定位置（ミューティングパターン）がリソースブロック間でホッピングされている。例えば、送信ポイント＃１においては、リソースブロック＃１ではインデックス＃６で示されるＣＳＩ−ＲＳ用リソースにミューティングが設定され、リソースブロック＃２ではインデックス＃２で示されるＣＳＩ−ＲＳ用リソースにミューティングが設定される。このように、送信ポイント＃１は、リソースブロック単位でミューティングパターンがランダム化されている。なお、ミューティングパターンは、ＰＤＳＣＨ  ｈｏｌｅパターンと呼ばれてもよいし、Ｚｅｒｏ  Ｐｏｗｅｒ  ＣＳＩ−ＲＳパターンと呼ばれても良い。
【００２７】
同様に、送信ポイント＃２、＃３のリソースブロック＃１−＃ｎにおいてもミューティングパターンがランダム化されている。例えば、送信ポイント＃２、＃３においては、リソースブロック＃１ではインデックス＃２で示されるＣＳＩ−ＲＳ用リソースにミューティングが設定され、リソースブロック＃２ではインデックス＃７で示されるＣＳＩ−ＲＳ用リソースにミューティングが設定される。
【００２８】
このように、各送信ポイントにおいて、リソースブロック毎に設定されるミューティングパターンがランダム化されることで、複数の送信ポイント間でミューティングパターンが重なる可能性が低下する。例えば、送信ポイント＃１のリソースブロック＃１でミューティングに設定されたＣＳＩ−ＲＳ用リソースに対応して、送信ポイント＃２、＃３のリソースブロック＃１にユーザデータが割り当てられている。また、送信ポイント＃１のリソースブロック＃２でミューティングに設定されたＣＳＩ−ＲＳ用リソースに対応して、送信ポイント＃２、＃３のリソースブロック＃２にユーザデータが割り当てられている。
【００２９】
よって、送信ポイント＃１のリソースブロック＃１、＃２では、ミューティングに設定されたリソースにおいて送信ポイント＃２、３からの干渉が精度よく測定される。ところで、各送信ポイントのそれぞれにおいて個別にランダム化が図られているため、複数の送信ポイント間で一部のリソースブロックのミューティングパターンが重なる場合がある。しかしながら、一部のリソースブロックにおいてミューティングパターンが重なっても、大部分のリソースブロックにおいてミューティングパターンが重ならないため、干渉測定結果の平均化によって干渉測定精度が向上される。
【００３０】
なお、図４においては、リソースブロック毎に異なるミューティングパターンを適用する構成としたが、この構成に限定されない。複数のリソースブロックをリソースブロックグループとして、リソースブロックグループ毎に異なるミューティングパターンを適用してもよい。
【００３１】
また、図５に示すように、各送信ポイントでは全てのリソースブロックでミューティングの設定位置を同じにし、複数の送信ポイント間ではミューティングの設定位置をホッピングする構成としてもよい。これにより、簡易化な構成により送信ポイント間におけるミューティングパターンの重なりを低減でき、干渉測定結果の平均化によって干渉測定精度が向上される。
【００３２】
なお、図４、図５に示す構成では、ミューティングパターンの重複を最小限にすることが難しい。この場合、図６に示すように、各送信ポイントにおいてリソースブロック間でミューティングの設定位置をホッピングすると共に、複数の送信ポイント間でミューティングの設定位置をホッピングしてもよい。これにより、送信ポイント間におけるミューティングパターンの重複が最小限となり、干渉測定結果の平均化によって干渉測定精度が向上される。
【００３３】
このように設定されたミューティングの設定位置は、基地局装置から移動端末装置に対して通知される。これは、移動端末装置に干渉測定するリソースを認識させる他、基地局装置がミューティングされるリソースを避けてユーザデータをレートマッチングするからである。移動端末装置が、ミューティングされるリソースを認識してレートマッチングしないと、ミューティングされるリソースに対しても復調処理されるため、復調処理のスループットおよび復調精度が劣化する。
【００３４】
以下、図７を参照して、本実施の形態におけるミューティングの第１の通知方法について説明する。図７は、ミューティングの第１の通知方法の一例を示す図である。なお、図７では、４送信ポートの移動端末装置に対してミューティングを通知する例を示している。
【００３５】
図７Ａに示す第１の通知方法は、ミューティングの基本パターンと、リソースブロック毎に基本パターンをランダム化するランダム化情報を通知する方法である。なお、図７Ａは、複数の送信ポイントにおいてミューティングの設定位置（ホッピングパターン）が独立に決定され、各送信ポイントにおいてミューティングの設定位置をリソースブロック間でホッピングする構成である。基地局装置は、ミューティングの基本パターンと、リソースブロック毎に基本パターンをランダム化するランダム化情報とに基づいて、リソースブロック毎にミューティングパターンを決定する。基地局装置は、ミューティングの基本パターンを、ＣＳＩ−ＲＳパターンにナンバリングされるインデックスとミューティングの有無とを１対１で対応付けしたビットマップ形式で移動端末装置に通知する。基本パターンは、非ランダム化パターンと呼ばれてもよい。
【００３６】
この場合、図１Ｃに示すＦＤＤのノーマルパターンにＴＤＤのアディショナルパターンを加えたインデックス［＃０−＃９、＃２０−＃２５］（CSI  Configuration=0-9,20-25）に対応させて、１６ビットのビットマップ情報が通知される。例えば、基本パターンとして、インデックス＃６で示されるＣＳＩ−ＲＳ用リソースにミューティングが設定される場合には、ビットマップ情報［００００００１０００００００００］が通知される。ビットマップ情報では、ミューティングされるリソースには“１”がセットされ、ミューティングされないリソースには“０”がセットされる。
【００３７】
基地局装置は、ランダム化情報としてスクランブリングパターン及びスクランブリングシード（初期値）を移動端末装置に対して通知する。移動端末装置は、スクランブリングシードを初期値としてスクランブリングパターンを用い、ビットマップ形式の基本パターンをスクランブルする。これにより、移動端末装置は、基地局装置でリソースブロック毎に適用されたミューティングパターンを特定する。
【００３８】
例えば、移動端末装置は、基地局装置から基本パターン及びランダム化情報を受信すると、基本パターンからリソースブロック＃１のミューティングパターンを特定する。すなわち、移動端末装置は基本パターンであるビットマップ情報［００００００１０００００００００］に基づいて、インデックス＃６で示されるＣＳＩ−ＲＳ用リソースを特定する。また、移動端末装置は、基本パターン及びランダム化情報に基づいてリソースブロック＃２のミューティングパターンを特定する。例えば、移動端末装置は基本パターンであるビットマップ情報［００００００１０００００００００］をランダム化した［００１０００００００００００００］に基づいて、インデックス＃２で示されるＣＳＩ−ＲＳ用リソースを特定する。移動端末装置は、残りのリソースブロックについても同様に基本パターン及びランダム化情報に基づいてミューティングパターンを特定する。なお、リソースブロック＃１については、基本パターンが適用されずに、基本パターンをランダム化したミューティングパターンが適用されてもよい。
【００３９】
このような構成により、ミューティングパターンを通知する際のシグナリング量を低減できる。この基本パターン及びランダム化情報は、ハイヤレイヤシグナリング（例えば、ＲＲＣシグナリング）で通知される。
【００４０】
なお、本実施の形態では、基本パターンとランダム化情報が通知される構成としたが、この構成に限定されない。移動端末装置に対して予め基本パターンが設定されていれば、ランダム化情報だけが通知されてもよい。また、本実施の形態では、ランダム化情報としてスクランブリングパターンとスクランブリングシードが通知される構成としたが、この構成に限定されない。移動端末装置にスクランブリングパターンが予め設定されていれば、スクランブリングシードだけが通知されてもよい。
【００４１】
また、ランダム化情報は、基本パターンをランダム化できればよく、例えば、インターリービングパターン・シフティングパターンやインターリービングシード・シフティングシードでもよい。また、基地局装置は、基本パターン及びランダム化情報の他に、送信周期（Duty  Cycle）、サブフレームオフセットを移動端末装置に対して通知する。
【００４２】
第１の通知方法は、複数の送信ポイント間だけでミューティングの設定位置をホッピングする構成にも利用可能である。図７Ｂに示すように、一の基地局装置（例えば、マクロ）は、ランダム化情報によって基本パターンをランダム化して複数のミューティングパターンを生成する。一の基地局装置は、各送信ポイントにある他の基地局装置（例えば、ピコ）に対して、別々のミューティングパターンを通知する。各送信ポイントの基地局装置は、通知されたミューティングパターンを全てのリソースブロックに対して一律に適用する。
【００４３】
各送信ポイントの基地局装置は、適用されたミューティングパターンをビットマップ形式で各送信ポイントに接続した移動端末装置に通知する。このミューティングパターンの通知は、例えば、ハイヤレイヤシグナリング（例えば、ＲＲＣシグナリング）で通知される。この構成により、移動端末装置は、基地局装置に適用されたミューティングパターンを特定する。また、各送信ポイント間の通信は、有線通信でもよいし、無線通信でもよい。
【００４４】
第１の通知方法は、複数のリソースブロック間及び複数の送信ポイント間でミューティングの設定位置をホッピングする構成にも利用可能である。図７Ｃに示すように、一の基地局装置（例えば、マクロ）は、ランダム化情報によって基本パターンをランダム化して複数のミューティングパターンを生成する。一の基地局装置は、各送信ポイントにある他の基地局装置（例えば、ピコ）に対して、別々のミューティングパターンを通知する。各送信ポイントの基地局装置は、通知されたミューティングパターンを新たな基本パターンとする。そして、他の送信ポイントの基地局装置は、新たな基本パターンをランダム化してリソースブロック毎にミューティングパターンを決定する。
【００４５】
各送信ポイントの基地局装置は、新たな基本パターン及びランダム化情報を各送信ポイントに接続された移動端末装置に通知する。この新たな基本パターン及びランダム化情報の通知は、例えば、ハイヤレイヤシグナリング（例えば、ＲＲＣシグナリング）で通知される。この構成により、移動端末装置は、基地局装置のリソースブロック毎に適用されたミューティングパターンを特定する。また、各送信ポイント間の通信は、有線通信でもよいし、無線通信でもよい。
【００４６】
次に、図８を参照して、本実施の形態におけるミューティングの第２の通知方法について説明する。図８は、ミューティングの第２の通知方法の一例を示す図である。なお、図８では、４送信ポートの移動端末装置に対してミューティングを通知する例を示している。
【００４７】
図８Ａに示す第２の通知方法は、複数のミューティングパターンを予め移動端末装置に通知しておき、リソースブロック毎にミューティングパターンを選択させる選択情報を移動端末装置に別途通知する方法である。なお、図８Ａは、複数の送信ポイントにおいてミューティングの設定位置（ホッピングパターン）が独立に決定され、各送信ポイントにおいてミューティングの設定位置をリソースブロック間でホッピングする構成である。基地局装置は、選択情報に基づいてリソースブロック毎にミューティングパターンを決定する。基地局装置は、複数のミューティングパターンを上記したビットマップ形式で移動端末装置に対して予め通知しておく。
【００４８】
移動端末装置にはミューティングパターンの候補として、例えば、１０種類のミューティングパターン＃０−９が通知されている。ミューティングパターン＃０−９は、インデックス＃０−９で示されるＣＳＩ−ＲＳ用リソースをミューティングにしたミューティングパターンである。なお、ミューティングパターンの通知タイミングは、特に限定されない。ミューティングパターンは、移動端末装置の起動時や通信開始に基地局装置から移動端末装置に通知されてもよい。また、ミューティングパターンは、移動端末装置に対して予め設定されていてもよい。
【００４９】
基地局装置は、リソースブロック毎に割り当てられるミューティングパターンを、１０種類のミューティングパターン＃０−＃９から選択させる選択情報を移動端末装置に対して通知する。移動端末装置は、選択情報を受信することで、１０種類のミューティングパターン＃０−＃９から各リソースブロックに適用されたミューティングパターンを特定する。選択情報は、どのミューティングパターンが適用されるかを示す所定の規則性（ルール）を持った情報であればよい。
【００５０】
例えば、移動端末装置は、選択情報に基づいてリソースブロック＃１についてミューティングパターン＃６、リソースブロック＃２についてミューティングパターン＃２を選択する。移動端末装置は、ミューティングパターン＃６であるビットマップ情報［００００００１０００００００００］に基づいて、インデックス＃６で示されるＣＳＩ−ＲＳ用リソースを特定する。また、移動端末装置は、ミューティングパターン＃２であるビットマップ情報［００１０００００００００００００］に基づいて、インデックス＃２で示されるＣＳＩ−ＲＳ用リソースを特定する。移動端末装置は、残りのリソースブロックについても同様に選択情報に基づいてミューティングパターンを特定する。
【００５１】
このような構成により、ミューティングパターンのシグナリング量を低減できる。このミューティングパターン及び選択情報は、例えば、ハイヤレイヤシグナリング（例えば、ＲＲＣシグナリング）で通知される。また、基地局装置は、ミューティングパターン及び選択情報の他に、送信周期（Duty  Cycle）、サブフレームオフセットを移動端末装置に対して通知する。
【００５２】
第２の通知方法は、複数の送信ポイント間だけでミューティングの設定位置をホッピングする構成にも利用可能である。図８Ｂに示すように、一の基地局装置（例えば、マクロ）は、選択情報によって１つのミューティングパターンを選択する。一の基地局装置は、各送信ポイントにある他の基地局装置（例えば、ピコ）に対して、一の基地局装置とは別の選択情報を通知する。各送信ポイントの基地局装置は、通知された選択情報に基づいて１つのミューティングパターンを決定し、このミューティングパターンを全てのリソースブロックに対して一律に適用する。
【００５３】
各送信ポイントの基地局装置は、選択情報を各送信ポイントに接続した移動端末装置に通知する。この選択情報の通知は、例えば、ハイヤレイヤシグナリング（例えば、ＲＲＣシグナリング）で通知される。この構成により、移動端末装置は、基地局装置のリソースブロックに適用されたミューティングパターンを特定する。また、各送信ポイント間の通信は、有線通信でもよいし、無線通信でもよい。
【００５４】
第２の通知方法は、複数のリソースブロック間及び複数の送信ポイント間でミューティングの設定位置をホッピングする構成にも利用可能である。図８Ｃに示すように、一の基地局装置（例えば、マクロ）は、選択情報に基づいてリソースブロック毎にミューティングパターンが決定されている。一の基地局装置は、各送信ポイントにある他の基地局装置（例えば、ピコ）に対して、一の基地局装置とは別の選択情報を通知する。各送信ポイントの基地局装置は、通知された選択情報に基づいてリソースブロック毎にミューティングパターンを決定する。
【００５５】
各送信ポイントの基地局装置は、選択情報を各送信ポイントに接続された移動端末装置に通知する。選択情報は、ハイヤレイヤシグナリング（例えば、ＲＲＣシグナリング）で通知される。この構成により、移動端末装置は、基地局装置のリソースブロック毎に適用されたミューティングパターンを特定する。また、各送信ポイント間の通信は、有線通信でもよいし、無線通信でもよい。
【００５６】
なお、本実施の形態では、４送信ポート毎にミューティングが設定される構成としたが、この構成に限定されない。例えば、２送信ポート毎にミューティングが設定されてもよい。また、上記したミューティングパターンに限らず、新たにミューティングパターンが定義されてもよい。
【００５７】
また、ミューティングの通知方法は、第１、第２の通知方法に限定されない。ミューティングパターンを通知可能であれば、どのような方法でもよい。例えば、リソースブロック毎又はリソースブロックグループ毎に、ビットマップ形式でミューティングパターンを通知してもよい。
【００５８】
ここで、本発明の実施例に係る無線通信システムについて詳細に説明する。図９は、本実施例に係る無線通信システムのシステム構成の説明図である。なお、図９に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良いし、４Ｇと呼ばれても良い。
【００５９】
図９に示すように、無線通信システム１は、各送信ポイントの基地局装置２０Ａ、２０Ｂと、この基地局装置２０Ａ、２０Ｂと通信する移動端末装置１０とを含んで構成されている。基地局装置２０Ａ、２０Ｂは、上位局装置３０と接続され、この上位局装置３０は、コアネットワーク４０と接続される。また、基地局装置２０Ａ、２０Ｂは、有線接続又は無線接続により相互に接続されている。移動端末装置１０は、送信ポイント＃１、＃２において基地局装置２０Ａ、２０Ｂと通信を行うことができる。なお、上位局装置３０には、例えば、アクセスゲートウェイ装置、無線ネットワークコントローラ（RNC）、モビリティマネジメントエンティティ（MME）等が含まれるが、これに限定されない。
【００６０】
移動端末装置１０は、ＬＴＥ端末及びＬＴＥ−Ａ端末を含むが、以下においては、特段の断りがない限り移動端末装置として説明を進める。また、説明の便宜上、基地局装置２０Ａ、２０Ｂと無線通信するのは移動端末装置１０であるものとして説明するが、より一般的には移動端末装置も固定端末装置も含むユーザ装置（UE：User  Equipment）でよい。
【００６１】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００６２】
ここで、通信チャネルについて説明する。
下りリンクの通信チャネルは、移動端末装置１０で共有される下りデータチャネルとしてのＰＤＳＣＨ（Physical  Downlink  Shared  Channel）と、下りＬ１／Ｌ２制御チャネル（PDCCH、PCFICH、PHICH）とを有する。ＰＤＳＣＨにより、送信データ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ Indicator  Channel）により、ＰＵＳＣＨに対するＨＡＲＱのＡＣＫ/ＮＡＣＫが伝送される。
【００６３】
上りリンクの通信チャネルは、各移動端末装置で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクの無線品質情報（CQI：Channel  Quality  Indicator）、ＡＣＫ/ＮＡＣＫ等が伝送される。
【００６４】
図１０を参照しながら、本実施の形態に係る基地局装置の全体構成について説明する。なお、基地局装置２０Ａ、２０Ｂは、同様な構成であるため、基地局装置２０として説明する。基地局装置２０は、送受信アンテナ２０１と、アンプ部２０２と、送受信部２０３と、ベースバンド信号処理部２０４と、呼処理部２０５と、伝送路インターフェース２０６とを備えている。下りリンクにより基地局装置２０から移動端末装置に送信される送信データは、上位局装置３０から伝送路インターフェース２０６を介してベースバンド信号処理部２０４に入力される。
【００６５】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【００６６】
また、ベースバンド信号処理部２０４は、報知チャネルにより、同一送信ポイントに接続する移動端末装置１０に対して、各移動端末装置１０が基地局装置２０との無線通信するための制御情報を通知する。当該送信ポイントにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）等が含まれる。
【００６７】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。
【００６８】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００６９】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００７０】
呼処理部２０５は、通信チャネルの設定や解放等の呼処理や、基地局装置２０の状態管理や、無線リソースの管理を行う。
【００７１】
次に、図１１を参照しながら、本実施の形態に係る移動端末装置の全体構成について説明する。移動端末装置１０は、送受信アンテナ１０１と、アンプ部１０２と、送受信部（受信部）１０３と、ベースバンド信号処理部１０４と、アプリケーション部１０５とを備えている。
【００７２】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００７３】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。
【００７４】
図１２を参照して、ミューティングパターンの決定処理に対応した基地局装置の機能ブロックについて説明する。なお、図１２の各機能ブロックは、主に図１０に示すベースバンド処理部に関するものである。また、図１２の機能ブロック図は、本発明を説明するために簡略化したものであり、ベースバンド処理部において通常備える構成を備えるものとする。なお、図１２では、複数の送信ポイントにおいてミューティングの設定位置（ホッピングパターン）が独立に決定され、各送信ポイントにおいてミューティングの設定位置をリソースブロック間でホッピングする構成を例示して説明する。
【００７５】
基地局装置２０は、送信側において、ミューティング情報生成部４０１、ミューティングパターン決定部４０２、上位制御情報生成部４０３と、下り送信データ生成部４０４と、下り制御情報生成部４０５と、ＣＳＩ−ＲＳ生成部４０６と、下り送信データ符号化・変調部４０７と、下り制御情報符号化・変調部４０８とを備えている。また、基地局装置２０は、下りチャネル多重部４０９と、ＩＦＦＴ部４１０と、ＣＰ付加部４１１とを備えている。
【００７６】
ミューティング情報生成部４０１は、ランダム化単位（例えば、リソースブロック単位又はリソースブロックグループ単位）を決定し、基本パターン、ランダム化情報、選択情報等のミューティング情報を生成する。ミューティング情報生成部４０１は、ミューティング情報をミューティングパターン決定部４０２及び上位制御情報生成部４０３に出力する。
【００７７】
ミューティングパターン決定部４０２は、ミューティング情報に基づいてミューティングパターンを決定する。ミューティングパターン決定部４０２は、図７Ａに示す第１の通知方法が適用される場合には、ランダム化情報に基づいて基本パターンをランダム化して、リソースブロック毎にミューティングパターンを決定する。また、図８Ａに示す第２の通知方法が適用される場合には、選択情報に基づいて複数のミューティングパターンからリソースブロック毎にミューティングパターンを決定する。
【００７８】
上位制御情報生成部４０３は、ハイヤレイヤシグナリング（例えば、ＲＲＣシグナリング）により送受信される上位制御情報を生成し、生成した上位制御情報を下り送信データ符号化・変調部４０７に出力する。具体的には、上位制御情報生成部４０３は、ミューティング情報生成部４０１から出力されたミューティング情報を含む上位制御情報を生成する。下り送信データ生成部４０４は、下りリンクの送信データを生成し、その下り送信データを下り送信データ符号化・変調部４０７に出力する。
【００７９】
下り制御情報生成部４０５は、下りリンクの制御情報を生成し、その下り制御情報を下り制御情報符号化・変調部４０８に出力する。下り送信データ符号化・変調部４０７は、下り送信データ及び上位制御情報に対してチャネル符号化及びデータ変調を行い、下りチャネル多重部４０９に出力する。下り制御情報符号化・変調部４０８は、下り制御情報に対してチャネル符号化及びデータ変調を行い、下りチャネル多重部４０９に出力する。ＣＳＩ−ＲＳ生成部４０６は、ＣＳＩ−ＲＳを生成し、そのＣＳＩ−ＲＳを下りチャネル多重部４０９に出力する。
【００８０】
下りチャネル多重部４０９は、下り制御情報、ＣＳＩ−ＲＳ、上位制御情報及び下り送信データを合成して送信信号を生成する。この場合、下りチャネル多重部４０９は、ミューティングパターン決定部４０２で決定されたミューティングの設定位置を避けるようにして、下り送信データを多重する。下りチャネル多重部４０９は、生成した送信信号をＩＦＦＴ部４１０に出力する。ＩＦＦＴ部４１０は、送信信号を逆高速フーリエ変換（Inverse  Fast  Fourier  Transform）し、周波数領域の信号から時間領域の信号に変換する。ＩＦＦＴ後の送信信号をＣＰ付加部４１１に出力する。ＣＰ付加部４１１は、ＩＦＦＴ後の送信信号にＣＰ（Cyclic  Prefix）を付加して、ＣＰ付加後の送信信号を送受信部２０３を介して図１０に示すアンプ部２０２に出力する。
【００８１】
なお、図５、図６に示すように、ミューティング情報生成部４０１は、複数の送信ポイント間でミューティングの設定位置をホッピングしてもよい。この場合の基地局装置の機能ブロックを図１３に示す。なお、図１３では、図１２と同一の機能ブロックについては、同一の符号を付し、説明が重複する部分については説明を省略する。
【００８２】
図１３に示すように、ミューティング情報生成部４０１は、他の送信ポイントのミューティング情報生成部４０１にミューティング情報を通知してもよいし、しなくてもよい。他の送信ポイントにミューティング情報を通知する場合であって、第１の通知方法が適用される場合には、ミューティング情報生成部４０１は、基本パターンをランダム化して生成した１つのミューティングパターンを、他の送信ポイントへの通知部４１２に出力する。他の送信ポイントへの通知部４１２は、他の送信ポイントのミューティング情報生成部４０１にミューティングパターンに通知する。他の送信ポイントのミューティングパターン決定部４０２は、図７Ｂに示すように、通知されたミューティングパターンを全てのリソースブロックに一律に適用してもよい。また、他の送信ポイントのミューティングパターン決定部４０２は、図７Ｃに示すように、通知されたミューティングパターンを新たな基本パターンとしてランダムして、リソースブロック毎にミューティングパターンを決定してもよい。
【００８３】
他の送信ポイントにミューティング情報を通知する場合であって、第２の通知方法が適用される場合には、ミューティング情報生成部４０１は、選択情報を他の送信ポイントへの通知部４１２に出力する。他の送信ポイントへの通知部４１２は、他の各送信ポイントのミューティング情報生成部４０１に選択情報を通知する。他の送信ポイントのミューティングパターン決定部４０２は、図８Ｂに示すように、通知された選択情報によって複数のミューティングパターンから１つのミューティングパターンを選択し、全てのリソースブロックに一律に適用してもよい。また、他の送信ポイントのミューティングパターン決定部４０２は、図８Ｃに示すように、通知された選択情報によって複数のミューティングパターンからリソースブロック毎に個々にミューティングパターンを選択してもよい。
【００８４】
図１４を参照して、干渉測定処理に対応した移動端末装置の機能ブロックについて説明する。なお、図１４の各機能ブロックは、主に図１１に示すベースバンド処理部１０４に関するものである。また、図１４に示す機能ブロックは、本発明を説明するために簡略化したものであり、ベースバンド処理部において通常備える構成は備えるものとする。
【００８５】
移動端末装置１０は、受信側において、ＣＰ除去部３０１と、ＦＦＴ部３０２と、下りチャネル分離部３０３と、下り制御情報受信部３０４と、下り送信データ受信部３０５と、干渉測定部３０６と、チャネル推定部３０７と、ＣＱＩ測定部３０８と、を備えている。
【００８６】
基地局装置２０から送出された送信信号は、図１１に示す送受信アンテナ１０１により受信され、ＣＰ除去部３０１に出力される。ＣＰ除去部３０１は、受信信号からＣＰを除去し、ＦＦＴ部３０２に出力する。ＦＦＴ部３０２は、ＣＰ除去後の信号を高速フーリエ変換（ＦＦＴ：Fast  Fourier  Transform）し、時間領域の信号から周波数領域の信号に変換する。ＦＦＴ部３０２は、周波数領域の信号に変換された信号を下りチャネル分離部３０３に出力する。
【００８７】
下りチャネル分離部３０３は、下りチャネル信号を、下り制御情報、下り送信データ、ＣＳＩ−ＲＳに分離する。下りチャネル分離部３０３は、下り制御情報を下り制御情報受信部３０４に出力し、下り送信データ及び上位制御情報を下り送信データ受信部３０５に出力し、ＣＳＩ−ＲＳをチャネル推定部３０７に出力する。
【００８８】
下り制御情報受信部３０４は、下り制御情報を復調し、復調された下り制御情報を下り送信データ受信部３０５に出力する。下り送信データ受信部３０５は、復調された下り制御情報を用いて下り送信データを復調する。このとき、下り送信データ受信部３０５は、上位制御情報に含まれるミューティング情報に基づいてミューティングの設定位置を特定する。下り送信データ受信部３０５は、ＣＳＩ−ＲＳと共にミューティングの設定位置を無視してユーザデータを復調する。また、下り送信データ受信部３０５は、下り送信データに含まれる上位制御情報を干渉測定部３０６に出力する。
【００８９】
干渉測定部３０６は、上位制御情報に含まれるミューティング情報に基づいてミューティングの設定位置を特定する。例えば、第１の通知方法であれば、基本パターンをランダム化情報にてランダム化して各リソースブロックに適用されたミューティングパターンを特定する。第２の通知方法であれば、予め通知された複数のミューティングパターンから選択情報に基づいてミューティングパターンを選択して、リソースブロック毎にミューティングパターンを特定する。干渉測定部３０６は、ミューティングの設定位置において干渉測定を行い、全てのリソースブロックで測定結果を平均化する。
【００９０】
この場合、ミューティングパターンは、リソースブロック単位又はリソースブロックグループ単位でランダム化されているため、複数の送信ポイント間でミューティングパターンが重なる可能性が低減される。よって、一部のリソースブロックでミューティングパターンが重なっても、全てのリソースブロックで測定結果を平均化することで干渉測定精度が向上される。また、ミューティングされたリソースでは、各種データが送信されず、チャネル推定も行われないため、他の送信ポイントからの干渉が高精度に測定される。また、１リソースブロックにおけるＣＳＩ−ＲＳの密度を高める必要もないので、後方互換性を得ることが可能である。平均化された干渉測定の結果は、ＣＱＩ測定部３０８に通知される。
【００９１】
チャネル推定部３０７は、ＣＳＩ−ＲＳに基づいてチャネル状態を推定し、チャネル推定値をＣＱＩ測定部３０８に通知する。ＣＱＩ測定部３０８は、干渉測定部３０６から通知される干渉測定結果、及びチャネル推定部３０７から通知されるチャネル推定結果、フィードバックモードに基づいてＣＱＩを算出する。なお、フィードバックモードは、Ｗｉｄｅｂａｎｄ  ＣＱＩ、Ｓｕｂｂａｎｄ  ＣＱＩ、ｂｅｓｔ−Ｍ  ａｖｅｒａｇｅのいずれが設定されてもよい。ＣＱＩ測定部３０８で算出されたＣＱＩは、フィードバック情報として基地局装置２０に通知される。
【００９２】
本発明は上記実施の形態に限定されず、様々変更して実施することが可能である。例えば、本発明の範囲を逸脱しない限りにおいて、上記説明におけるＣＳＩ−ＲＳの設定位置、ミューティングの設定位置、処理部の数、処理手順、ＣＳＩ−ＲＳの数、ミューティングの数、アンテナ数については適宜変更して実施することが可能である。その他、本発明の範囲を逸脱しないで適宜変更して実施することが可能である。
【符号の説明】
【００９３】
１  無線通信システム
１０  移動端末装置
２０  基地局装置
３０  上位局装置
４０  コアネットワーク
１０３  送受信部（受信部）
１０４  ベースバンド信号処理部
２０３  送受信部
２０４  ベースバンド信号処理部
３０６  干渉測定部
３０７  チャネル推定部
３０８  ＣＱＩ測定部
４０１  ミューティング情報生成部
４０２  ミューティングパターン決定部（ミューティング決定部）
４０３  上位制御情報生成部
４０６  ＣＳＩ−ＲＳ生成部（参照信号割当部）
【図１】
0005970170.tif 000002
【図２】
0005970170.tif 000003
【図３】
0005970170.tif 000004
【図４】
0005970170.tif 000005
【図５】
0005970170.tif 000006
【図６】
0005970170.tif 000007
【図７】
0005970170.tif 000008
【図８】
0005970170.tif 000009
【図９】
0005970170.tif 000010
【図１０】
0005970170.tif 000011
【図１１】
0005970170.tif 000012
【図１２】
0005970170.tif 000013
【図１３】
0005970170.tif 000014
【図１４】
0005970170.tif 000015